(57)【要約】【課題】本発明の目的は、物体の単体独立型特徴を保ちながら、通信の音響品質をかなり向上させる「ハンズフリーキット」型の独立型装置を提供することである。【解決手段】装置１０は、マイクロホン１４、音再生トランスデューサー１６、複数の制御ボタン１８、２０、２２、２４、電子回路を担持するプリント基板、電池、並びに可能な場合には操作インジケーター２６、２８、外部コネクター、及び近距離通信アンテナを収容するケース１２を備える。ケースは、横方向にＵ字形外形を有するクランプを形成するように、それ自体が折り曲げられた細長いバンドの形態であり、第１の分岐部３２がトランスデューサーを担持し、第２の分岐部３４がマイクロホンを担持する。折り曲げられたバンドは、２つの分岐部を機械的に分離する横断不連続部３６を中央領域に有し、トランスデューサー及びマイクロホンを互いから音響的に分離する。【選択図】図１
2014027654.tif 000002
【特許請求の範囲】
【請求項１】
携帯電話とインターフェースするハンズフリーの電話装置（１０）であって、
該装置（１０）は自動車両の平坦な機器、特にサンバイザー上にクランプすることにより着脱可能に固定されるようになっている単体付属品の形態であり、
該装置は、音捕捉マイクロホンセンサー（１４）、音再生トランスデューサー（５４、１６）、複数の制御ボタン（１８、２０、２２、２４）、電子回路を担持するプリント基板（６４）、及び電池、並びに可能な場合には操作インジケーター（２６、２８）、外部コネクター、及び近距離通信アンテナ（６６）を収容するケース（１２）を備え、
前記ケースは、横方向にＵ字形外形を有するクランプを形成するように、それ自体が折り曲げられた細長いバンドの形態であり、第１の分岐部（３２）及び第２の分岐部（３４）のそれぞれが、前記Ｕ（３０）のより大きな湾曲の中央領域の両側に延在し、
該装置は、
前記折り曲げられたバンドが、前記２つの分岐部を機械的に分離する横断不連続部（３６）を前記中央領域に有し、
前記トランスデューサーが前記第１の分岐部により担持され、前記センサーが前記第２の分岐部により担持され、それにより、前記トランスデューサー及び前記センサーは、前記横断不連続部により互いの間で音響的に分離されることを特徴とする電話装置。
【請求項２】
前記２つの分岐部は横軸ヒンジ（３８）により、前記中央領域において互いに接続され連結される剛性分岐部であり、前記ヒンジには、互いに近づく移動方向において前記２つの分岐部が弾性的に戻る手段（４４）が関連付けられる、請求項１に記載の電話装置。
【請求項３】
前記第１の分岐部は、前記トランスデューサーを受ける閉容積を画定する収容部（５８）を備える、請求項１に記載の電話装置。
【請求項４】
前記閉容積は、周縁シール（６２）が介在した状態で蓋により閉じられる、請求項３に記載の電話装置。
【請求項５】
前記トランスデューサーは、分散モードラウドスピーカーエキサイター（５４）であり、前記第１の分岐部は平坦であり、前記エキサイターにより駆動される振動パネル（１６）を担持する、請求項３に記載の電話装置。
【請求項６】
前記センサーは、前記Ｕのより大きな湾曲の中央領域付近で、前記第２の分岐部の外面の近傍領域に配置される、請求項１に記載の電話装置。
【請求項７】
前記センサーは、前記第２の分岐部の壁に追加される中間支持体（５０）内にそれ自体が収容されるマイクロホンカプセル（４８）を備える、請求項１に記載の電話装置。
【請求項８】
前記分岐部のうちの少なくとも１つは、内面に、音響吸収弾性材料で作られた非スリップ保持パッド（４６）を担持する、請求項１に記載の電話装置。
【請求項９】
前記第２の分岐部の長さは前記第１の分岐部の長さよりも短い、請求項１に記載の電話装置。
【請求項１０】
前記制御ボタン、前記プリント基板、及び前記操作インジケーターは前記第１の分岐部により担持され、その一方で、前記近距離通信アンテナは前記第２の分岐部により担持される、請求項１に記載の電話装置。
【発明の詳細な説明】
【技術分野】
【０００１】
本発明は、携帯電話とインターフェースすることを目的とした、特に自動車両に搭載される「ハンズフリーキット」型の独立型付属品に関する。
【背景技術】
【０００２】
そのような付属品は、独立型の脱着可能なケースの形態であり、マイクロホン、ラウドスピーカー、及び電池を含め、「ハンズフリー」機能を実施する全ての要素及び制御と、Ｂｌｕｅｔｏｏｔｈ型（Bluetooth SIG, Inc.の登録商標）の無線リンクにより遠隔携帯電話とインターフェースする手段と、を備える。Ｂｌｕｅｔｏｏｔｈ仕様は実際に、双方向無線リンクを介して、携帯電話のキーパッドに完全に取って代わることにより携帯電話を全体的に遠隔から制御することで、オフフック、オンフック、ダイアル、メニュー表示、及びディレクトリ等の携帯電話の全ての機能を遠隔から操る可能性を提供する。そのような付属品は、例えば、特許文献１に記載されている。
【０００３】
車両に永久的に一体化されるシステムに対して、そのような付属品の主な利点は、接続を必要とせず、ユーザー自身が即座に設置する（又は取り外す）ことができることである。付属品は特に、付属品を、例えば、サンバイザーに固定するクリップにより車両に設置することができる。そのような付属品は、例えば、Parrot SA（フランス国パリ）によりＭｉｎｉｋｉｔ又はＭｉｎｉｋｉｔ  Ｓｌｉｍという呼び名で市販されており、この装置は、完全に独立型であり、マイクロホン、ラウドスピーカー、制御キー、多機能回転可能ボタン等を含む単純なケースの形態であり、必要な全ての電子回路及び電源を組み込む。
【０００４】
非特許文献１には、クリップとして車両サンバイザーにクランプすることができる弾性材料で作られた、Ｕ字形に折り曲げられた単体ケースを有するそのような別の付属品が記載されており、全ての電子回路及び構成要素はＵ字形の分岐部の一方のケース内にまとめられる。
【０００５】
車両に永久的に設置される「ハンズフリー」システムに対するそのような独立型付属品の欠点は、小型の単体物体にする必要性により強いられるマイクロホンとラウドスピーカーとの近接性である。他方、永久的な設置では、ダッシュボード上の位置を最適化することができる１つ又は幾つかのマイクロホンを提供することが可能であり、これらのマイクロホンはいずれの場合にもラウドスピーカーから離れて配置され、ラウドスピーカーは一般に、カーラジオのものであり、コンソール下等のドアに配置される。
【０００６】
マイクロホンとラウドスピーカーとの近接性は、マイクロホンと話者との比較的長い距離（サンバイザーから運転者の口までの距離）と相まって、非常に高いレベルの雑音及びエコーをもたらす。特に、運転者及び運転者が会話している遠隔話者の両者が同時に話す二重発話状況では、装置のラウドスピーカーにより再生される音が、この同じ装置の付近にあるマイクロホンにより捕捉されて、エコー及び高い音響干渉が生じる。
【０００７】
装置が車両のどこにいつ配置されるかを先験的に知ることができないので、話者の音声を確実に捕捉できるようにするために、非常に広い範囲の感度パターンを有するトランスデューサーを一体型マイクロホンとして使用することが必要である。これにより、上記欠点は一層大きくなる。この全方向性パターンマイクロホンは、より高いレベルの周囲雑音、乗客コンパートメント内の共振、エコー等を捕捉する傾向を有し、信号／雑音比が大きく劣化する。
【０００８】
そのため、フィルタリング及びエコー抑制の比較的複雑なアルゴリズムを提供する必要があり、製品の最終コスト価格に負担をかける強力なマイクロコントローラーを必要とする。
【０００９】
特許文献２により提案される解決策は、装置から取り外して離れて移動させて、音響の観点からより適切な位置に設置することができる脱着可能なマイクロホンを提供することにある。しかし、この解決策は、マイクロホンと装置との間に無線リンクを提供する必要があるとともに、オフセットマイクロホンをダッシュボードに固定する手段を提供する必要がある。美観の側面とは別に、それらの制約によって、即時に設置及び取り外しが可能なことにある興味の一部が装置から損なわれる。
【先行技術文献】
【特許文献】
【００１０】
【特許文献１】国際公開第２００５／０７４２３９Ａ１号（Parrot）
【特許文献２】仏国特許出願第２９６１０５２号（Parrot）
【非特許文献】
【００１１】
【非特許文献１】GN Netcom「Jabra Drive User Manual」（XP002693018、２０１１年１２月３１日）
【発明の概要】
【発明が解決しようとする課題】
【００１２】
したがって、本発明の一目的は、そのような状況において、物体の単体特徴及び独立型特徴を保ちながら、通信の音響品質を大幅に向上させる「ハンズフリー」型の独立型装置を提案することである。
【課題を解決するための手段】
【００１３】
そのために、本発明は、例えば、音捕捉マイクロホンセンサー、音再生トランスデューサー、複数の制御ボタン、電子回路を担持したプリント基板、電池、並びに可能であれば操作インジケーター、外部コネクター、及び近距離通信アンテナを収容するケースの形態で、上述した非特許文献１によりそれ自体が既知のような装置を提案する。ケースは、横方向にＵ字形外形を有するクランプを形成するようにそれ自体が折り曲げられた細長いバンドの形態であり、第１の分岐部及び第２の分岐部がそれぞれ、Ｕのより大きな湾曲の中央領域の両側に延在する。
【００１４】
上記問題に対する本発明の解決策は、湾曲したバンドの中央領域に、２つの分岐部を機械的に分離する横断不連続部を提供し、そうするに当たり、トランスデューサーが第１の分岐部により担持され、センサーが第２の分岐部により担持されることである。そのようにして、トランスデューサー及びセンサーは、横不連続性により互いから音響的に切断される。
【００１５】
本発明にはさらに以下のような特徴を有する。
−２つの分岐部は、横軸ヒンジにより、中央領域において互いに接続され連結される剛性分岐部であり、そのようなヒンジには、互いに近づく移動方向において２つの分岐部が弾性的に戻る手段が関連付けられる。
−第１の分岐部は、トランスデューサーを受ける閉容積を画定する収容部を備え、そのような容積は周縁シールが介在した状態で蓋により閉じることができ、次に、トランスデューサーとして、分散モードラウドスピーカーエキサイターを提供することが可能であり、第１の分岐部は平坦であり、エキサイターにより駆動される振動パネルを担持する。
−センサーは、Ｕのより大きな湾曲の中央領域付近で、第２の分岐部の外面の近傍領域に配置される。
−センサーは、第２の分岐部の壁に追加される中間支持体内にそれ自体が収容されるマイクロホンカプセルを備える。
−分岐部のうちの少なくとも１つは、内面に、音響吸収弾性材料で作られた非スリップ保持パッドを担持する。
−第２の分岐部の長さは第１の分岐部の長さよりも短い。
−制御ボタン、プリント基板、及び操作インジケーターが第１の分岐部により担持され、その一方で、近距離通信アンテナは第２の分岐部により担持される。
【図面の簡単な説明】
【００１６】
【図１】本発明による装置の全体斜視図である。
【図２】この同じ装置の立面図である。
【図３】特に装置のケース内部に含まれる要素を示す部分分解組立透明図である。
【図４】装置の断面分解組立図である。
【図５】装置の２つの分岐部を接続する連結部及びバネのシステムを透明で示す装置の斜視図である。
【図６】上部パネルを取り外して、音再生トランスデューサーがいかに一体化されるかを示す装置の斜視図である。
【発明を実施するための形態】
【００１７】
本発明の実施態様の例について、図全体を通して同じ参照符号が同一又は機能的に同様の要素を示す添付図面を参照してこれより説明する。図中、参照１０は本発明の装置を全体的に示し、本発明の装置は、「ハンズフリー」電話機能の実施に必要な全ての構成要素を統合する（その方法については以下においてわかる）、連結された独立型単体付属品の形態である。
【００１８】
より正確には、装置のケース１２は、運転者の音声収集を目的とする音捕捉マイクロホンセンサー１４（以下、単に「マイクロホン」と称する）と、運転者が会話中である遠隔話者の音声の再生を目的とする音再生トランスデューサー１６（以下、単に「トランスデューサー」と称する）と、を備える。
【００１９】
装置は、運転者が利用可能な或る特定の数の制御を更に備える。特に、以下の制御である。
−２つの電話制御キー１８及び２０（特に、オフフック／ダイアル機能及びオンフック／キャンセル機能）、
−装置の状態に従って様々な制御、例えば、トランスデューサー１６の音量の制御、メニューの表示等を提供する多機能回転可能ボタン２２。このボタン２２は、回転のみならず、押しボタンを「クリック」し、例えば、機能又はメニューでの選択の承認、音声認識モードの起動等を制御することによっても制御することができる、
−オン／オフ電池テストスイッチ２４、
−装置の状態に応じて起動する赤色及び緑色インジケーター２６、２８、
−装置の内部電池を充電するためのコネクター（図示せず）。
【００２０】
本発明の特徴として、ケース１２は、より大きな湾曲の中央領域３０の両側において横方向に（特に図２及び図４において見られる）Ｕ字形外形を有し、したがって、中央領域３０の両側に延在する２つの分岐部３２、３４を画定するように、それ自体が折り曲げられた細長いバンドの形態で作られる。
【００２１】
第１の分岐部３２は、運転者の方に向けることを意図され、上述したトランスデューサー１６及び制御２０〜２８を担持し、制御２０〜２８は、トランスデューサー１６の近傍領域（すなわち、中央領域３０の付近）で上部分岐部の縁部にまとめられる。これにより、第１の分岐部３２の可視の外面に、比較的広がりの大きな（第１の分岐部３２の長さの大部分及びほぼ全幅）平面を提供することができる。これにより、特に、トランスデューサーとして、分散モードラウドスピーカー型の構成要素を使用し、主として第１の分岐部の平坦な外面で構成される振動パネルを実施することができる。
【００２２】
第２の分岐部３４は、中央領域３０の付近に配置されたマイクロホン１４を担持して、装置がサンバイザーに設置された場合であっても可視のままであるようにする（このとき第２の分岐部３４の大部分は、上記第１の分岐部３２の逆のサンバイザーの背後に隠れるため、見えない）。
【００２３】
本発明の特徴として、ケース１２の本体は、３６において、トランスデューサー不連続部３６を有し、そのような不連続部は、ケース１２の全幅及び両側にわたりケース１２の壁に形成される周縁不連続部である。したがって、装置は、互いに機械的に接続されるが、互いに分離される２つの部分の形態であり、２つの部分の一方は第１の分岐部３２を担持し、他方は第２の分岐部３４を担持する。
【００２４】
図５は、これらの２つの部分が互いにいかに接続され、連結されるかをより詳細に示す。そのために、ケース内部に、２つの横軸ヒンジ３８が提供され、各横軸ヒンジ３８は４０及び４２のそれぞれにおいて、第１の分岐部を担持するケースの部分及び第２の分岐部を担持するケースの部分に固定される。これらのヒンジ３８（図示の例では、横断不連続部３６の２つの両端部に配置される）には、２つの分岐部が一緒に移動する方向においてケースの２つの部分を付勢する弾性戻り手段、例えば、バネ４４が関連付けられる。
【００２５】
次に、装置は、特に、２つの分岐部に適切な形状が提供される場合、サンバイザーにそれ自体を保持することができる連結クランプとして挙動することができる：特に、クランプされた状態で（図２の図に対応する）、２つの分岐部３２及び３４を隔てる間隔は、近位領域よりも遠位領域において低減して、クランプ効果を強める。換言すれば、最大閉構成では、２つの分岐部は平行ではなく、その両端部は互いにわずかに近い。サンバイザーへの保持は、第１の分岐部３２の内面に、第２の分岐部３４（第１の分岐部３２よりもわずかに短く提供される）の遠位端部の実質的に逆に配置された非スリップ保持パッド４６を提供することにより更に補強することができる。
【００２６】
２つの分岐部の連結部の移動及び各幾何学的形状は、装置がほぼ全ての自動車両のサンバイザーに合うことができるように選ばれ、２つの分岐部３２及び３４の内面は概ね平坦であり、サンバイザーの平面に最良に合う。示される例では、分岐部３２、３４は、互いに連結される剛性分岐部であるが、特に第２の分岐部３４に、サンバイザーへのクランプ機能に関与する適切な弾性を与えることを意図することもできる。
【００２７】
本発明の特徴として、横断不連続部３６の存在により、マイクロホン１４とトランスデューサー１６との間に音響切断が生み出され、これらの２つの部材は、トランスデューサー１６によりケース１２に生成される振動の、マイクロホン１４に向かう伝導を阻止するか、又は少なくとも、非常に高い割合で低減する不連続部３６により互いから音響的に分離される。
【００２８】
図４は、マイクロホン１４がいかに構成され、ケースの下部（第２の分岐部３４を担持する部分）に搭載されるかをより正確に示す。マイクロホン１４は、チャネル５２を通して外部と通信する中間支持体５０内に収容されるマイクロホンカプセル４８で形成され、この支持体は、例えば、ネジによりケースの壁に追加される。中間ケースを有するこの構成では、横断不連続部３６により可能になる切断に加えて、センサー自体（カプセル４８）とケースの本体との間に追加のレベルの切断を得ることができる。マイクロホンは、好ましくは、全方向性であり、それにより、装置１０がサンバイザーにクランプされた場合、このマイクロホンが配置される、Ｕの中央領域３０付近の領域から運転者の発話を適宜捕捉することができる。
【００２９】
図３、図４、及び図６は、音再生トランスデューサー１６の構成をより正確に示す。
【００３０】
上に示したように、このトランスデューサーは有利なことには分散モードラウドスピーカー型のものであり、音振動を生成する駆動器の方に向けられた振動パネル１６に、５６において結合される、ケース１２の上部（第１の分岐部３２を担持する部分）に示されるエキサイター５４を有する。音響の観点からこの搭載を最適化するために、エキサイター５４は、ケース１２の上部の収容部５８内部に配置されて、閉容積を画定し、閉容積は、周縁Ｏリング６２を介在した状態で周縁部６０に当接して振動パネル１６を担持する閉じ蓋の取り付けにより閉じられて、収容部５８のキャビティからのいかなる空気漏れも阻止して、トランスデューサーとマイクロホンとの間に更なるレベルの切断を提供する。
【００３１】
音響の側面に関して、非スリップ保持パッド４６が有利なことには音響吸収弾性材料で作られて、剛性サンバイザーに取り付けられた場合、装置のケース１２が振動しないようにし、それにより音響解決策全体の向上に関与することに更に気が付くであろう。
【００３２】
電子要素に関して、ケース１２の上部は、全ての電子回路並びに様々な制御及び操作インジケーターを担持するプリント回路基板６４と、電池（図示せず）と、を担持し、したがって、マイクロホンを除く全ての電気要素及び電子要素を、ケースのこの同じ上部にまとめることができる。
【００３３】
装置に、ＮＦＣ型の誘導近距離通信システムが備えられている場合、ＮＦＣアンテナ６６はケースの下部分岐部に配置することができる。実際に、通信は数ｃｍの距離での通信であるため、ＮＦＣアンテナ６６をこの位置に配置することは面倒ではなく、他方、効率の観点から、このアンテナがトランスデューサーのエキサイター５４の磁気要素から離れている場合、この位置に配置した方がよい。
【００３４】
音響性能に関しては、本説明の導入部分で述べた前モデルのＭｉｎｉｋｉｔ  Ｓｌｉｍと比較して、本発明による装置では、難なく、トランスデューサーにより届けられる音響力を約５０％増大させることができる（このように増大することによってマイクロホンにより捕捉される信号が邪魔されることはない）。これは、長さが約５０％低減され、したがって、はるかにコンパクトな構成を有する装置を用いて可能になる。さらに、これらの性能は、トランスデューサーの音響力の増大にもかかわらず、マイクロホンにより捕捉される音響信号の実質的な質的改良とともに得られる。
【図１】
2014027654.tif 000003
【図２】
2014027654.tif 000004
【図３】
2014027654.tif 000005
【図４】
2014027654.tif 000006
【図５】
2014027654.tif 000007
【図６】
2014027654.tif 000008
【外国語明細書】
2014027654.tif 000009
2014027654.tif 000010
2014027654.tif 000011
2014027654.tif 000012
2014027654.tif 000013
2014027654.tif 000014
2014027654.tif 000015
2014027654.tif 000016
2014027654.tif 000017
2014027654.tif 000018
2014027654.tif 000019
2014027654.tif 000020
2014027654.tif 000021
2014027654.tif 000022